【手続補正書】
【提出日】平成22年7月6日(2010.7.6)
【手続補正１】
【補正対象書類名】特許請求の範囲
【補正対象項目名】全文
【補正方法】変更
【補正の内容】
【特許請求の範囲】
【請求項１】
画像中に、入力情報を符号化することで得られる第１の符号化画像が含まれている場合には、前記第１の符号化画像を復号することで、前記入力情報を復元する復元手段と、
前記復元手段により復元された前記入力情報を符号化し、送信解像度を有する第２の符号化画像を生成する符号化手段と、
前記符号化手段により生成された第２の符号化画像を、指定された送信先に送信する送信手段と
を備えることを特徴とする画像処理装置。
【請求項２】
前記送信解像度は、前記送信先の機器の能力に応じた解像度であることを特徴とする請求項１に記載の画像処理装置。
【請求項３】
前記送信解像度は、ユーザによって指示された解像度であることを特徴とする請求項１に記載の画像処理装置。
【請求項４】
前記送信解像度は、前記送信で用いる回線の能力に応じた解像度であることを特徴とする請求項１に記載の画像処理装置。
【請求項５】
前記画像を取得するために設定された読み取り解像度は、前記画像中に含まれている第１の符号化画像を復号化するのに十分な解像度であることを特徴とする請求項１に記載の画像処理装置。
【請求項６】
前記画像の解像度を変換するか否か判断する判断手段を更に有し、
前記判断手段で変換すると判断された場合には、前記復元手段で前記入力情報を復元し、前記符号化手段で前記第２の符号化画像を生成し、前記送信手段で当該生成された第２の符号化画像を送信し、
前記判断手段で変換しないと判断された場合には、前記送信手段で前記画像を前記送信先に送信する
ことを特徴とする請求項１に記載の画像処理装置。
【請求項７】
前記送信手段は、前記符号化手段で生成された前記第２の符号化画像で、前記画像内に含まれている前記第１の符号化画像を置換した後、該画像を前記送信先に送信することを特徴とする請求項１に記載の画像処理装置。
【請求項８】
前記符号化手段は、複数の符号化画像に分割された前記第２の符号化画像を生成することを特徴とする請求項１に記載の画像処理装置。
【請求項９】
前記符号化手段は、前記入力情報が１つの符号化画像に収まらない場合に、複数の符号化画像に分割された前記第２の符号化画像を生成することを特徴とする請求項８に記載の画像処理装置。
【請求項１０】
前記入力情報は、文書ファイル、静止画像ファイル、動画ファイル、音声ファイル、実行ファイル、の少なくとも１つのファイルであることを特徴とする請求項１に記載の画像処理装置。
【請求項１１】
読み取り手段で読み取った画像中に、入力情報を符号化することで得られる第１の符号化画像が含まれている場合には、前記第１の符号化画像を復号することで、前記入力情報を復元する復元手段と、
前記復元手段により復元された前記入力情報をメールの添付ファイルとして、指定された送信先にメールで送信する送信手段と
を備えることを特徴とする画像処理装置。
【請求項１２】
前記送信手段は、前記復元手段が復元した前記入力情報と前記読み取り手段が読み取った画像とを、前記メールの添付ファイルとして、前記送信先に送信することを特徴とする請求項１１に記載の画像処理装置。
【請求項１３】
解像度を設定する設定手段と、
画像中に、入力情報を符号化することで得られる第１の符号化画像が含まれている場合には、前記第１の符号化画像を復号することで、前記入力情報を復元する復元手段と、
前記復元手段により復元された前記入力情報を符号化し、前記設定手段によって設定された解像度を有する第２の符号化画像を生成する符号化手段と、
前記符号化手段により生成された第２の符号化画像を出力する出力手段と
を備えることを特徴とする画像処理装置。
【請求項１４】
原稿上に記録された情報を画像として読み取る読み取り手段と、当該読み取り手段が読み取った画像を指定された送信先に送信する送信手段と、を備える画像処理装置が行う画像処理方法であって、
前記画像処理装置が有する復元手段が、前記読み取り手段で読み取った画像中に、入力情報を符号化することで得られる第１の符号化画像が含まれている場合には、前記第１の符号化画像を復号することで、前記入力情報を復元する復元工程と、
前記画像処理装置が有する符号化手段が、前記復元工程で復元された前記入力情報を符号化し、送信解像度を有する第２の符号化画像を生成する符号化工程と、
前記画像処理装置が有する送信制御手段が、前記符号化工程で生成された第２の符号化画像を、前記送信手段によって前記送信先に送信させる送信制御工程と
を備えることを特徴とする画像処理方法。
【請求項１５】
原稿上に記録された情報を画像として読み取る読み取り手段と、当該読み取り手段が読み取った画像を指定された送信先に送信する送信手段と、を備える画像処理装置が行う画像処理方法であって、
前記画像処理装置が有する復元手段が、前記読み取り手段で読み取った画像中に、入力情報を符号化することで得られる第１の符号化画像が含まれている場合には、前記第１の符号化画像を復号することで、前記入力情報を復元する復元工程と、
前記画像処理装置が有する送信制御手段が、前記復元工程で復元された前記入力情報をファイルとして、前記送信手段によって前記送信先に送信させる送信制御工程と
を備えることを特徴とする画像処理方法。
【請求項１６】
原稿上に記録された情報を画像として読み取る読み取り手段と、当該読み取り手段が読み取った画像を出力する出力手段と、を備える画像処理装置が行う画像処理方法であって、
前記画像処理装置が有する設定手段が、解像度を設定する設定工程と、
前記画像処理装置が有する復元手段が、前記読み取り手段で読み取った画像中に、入力情報を符号化することで得られる第１の符号化画像が含まれている場合には、前記第１の符号化画像を復号することで、前記入力情報を復元する復元工程と、
前記画像処理装置が有する符号化手段が、前記復元工程で復元された前記入力情報を符号化し、前記設定工程で設定された解像度を有する第２の符号化画像を生成する符号化工程と、
前記画像処理装置が有する出力制御手段が、前記符号化工程で生成された第２の符号化画像を前記出力手段によって出力させる出力制御工程と
を備えることを特徴とする画像処理方法。
【請求項１７】
コンピュータを、請求項１乃至１３の何れか１項に記載の画像処理装置が有する各手段として機能させる為のコンピュータプログラムを格納した、コンピュータ読み取り可能な記憶媒体。
【請求項１８】
画像を読み取って画像データを生成する手段と、
外部装置に前記画像データを送信する際の送信解像度を決定する送信解像度決定手段と、
前記画像データに２次元符号化画像が含まれているか否かを判定する判定手段と、
前記判定手段によって前記画像データに前記２次元符号化画像が含まれていると判定された場合には、前記送信解像度決定手段によって決定した送信解像度で復元可能な符号化画像の解像度を決定する再２次元符号化画像解像度決定手段と、
前記画像データを、前記再２次元符号化画像解像度決定手段によって決定した解像度で符号化画像に符号化する再２次元符号化画像生成手段と、
前記再２次元符号化画像生成手段で符号化された符号化画像を、前記外部装置に送信する送信手段と
を備えることを特徴とする画像処理装置。
【請求項１９】
画像を読み取って画像データを生成する手段と、
外部装置に前記画像データを送信する際の送信解像度を決定する送信解像度決定手段と、
前記画像データに２次元符号化画像が含まれているか否かを判定する判定手段と、
前記判定手段によって前記画像データに前記２次元符号化画像が含まれていると判定された場合には、前記送信解像度決定手段によって決定した送信解像度で復元可能な符号化画像の解像度を決定する再２次元符号化画像解像度決定手段と、
前記画像データから前記２次元符号化画像を識別して取り出す２次元符号化画像取得手段と、
前記２次元符号化画像取得手段によって得られた２次元符号化画像を、前記再２次元符号化画像解像度決定手段によって決定した解像度で２次元符号化画像に再符号化する再２次元符号化画像生成手段と、
前記再２次元符号化画像生成手段で符号化された２次元符号化画像を、前記外部装置に送信する送信手段と
を備えることを特徴とする画像処理装置。
【請求項２０】
前記再２次元符号化画像生成手段は、
生成する符号化画像のサイズと、前記再２次元符号化画像解像度決定手段によって決定された解像度と、から、符号化画像のページ数を決定する再２次元符号化画像ページ数決定手段と、
前記決定されたページ数に基づいて、前記画像データを分割する画像データ分割手段と、
前記分割した画像データに対して、前記分割した画像データを結合するためのヘッダー情報を付加するヘッダー情報付加手段と、
を有し、
前記再２次元符号化画像生成手段は、
前記ヘッダー情報付加手段によってヘッダー情報が付加された画像データを、前記再２次元符号化画像解像度決定手段によって決定した解像度で符号化画像に符号化することを特徴とする請求項１８に記載の画像処理装置。
【請求項２１】
前記送信解像度決定手段は、ユーザに設定させた解像度に応じて送信解像度を決定することを特徴とする請求項１８に記載の画像処理装置。
【請求項２２】
更に、送信先の受信可能解像度を取得する受信可能解像度取得手段を備え、
前記送信解像度決定手段は、前記受信可能解像度取得手段によって得られた受信可能解像度を送信解像度として決定することを特徴とする請求項１８に記載の画像処理装置。
【請求項２３】
画像処理装置が行う画像処理方法であって、
前記画像処理装置が有する生成手段が、画像を読み取って画像データを生成する工程と、
前記画像処理装置が有する生成手段が、外部装置に前記画像データを送信する際の送信解像度を決定する送信解像度決定工程と、
前記画像処理装置が有する判定手段が、前記画像データに２次元符号化画像が含まれているか否かを判定する判定工程と、
前記画像処理装置が有する再２次元符号化画像解像度決定手段が、前記判定工程で前記画像データに前記２次元符号化画像が含まれていると判定された場合には、前記送信解像度決定工程で決定した送信解像度で復元可能な符号化画像の解像度を決定する再２次元符号化画像解像度決定工程と、
前記画像処理装置が有する再２次元符号化画像生成手段が、前記画像データを、前記再２次元符号化画像解像度決定工程で決定した解像度で符号化画像に符号化する再２次元符号化画像生成工程と、
前記画像処理装置が有する送信手段が、前記再２次元符号化画像生成工程で符号化された符号化画像を、前記外部装置に送信する送信工程と
を備えることを特徴とする画像処理方法。
【手続補正２】
【補正対象書類名】明細書
【補正対象項目名】００１０
【補正方法】変更
【補正の内容】
【００１０】
即ち、画像中に、入力情報を符号化することで得られる第１の符号化画像が含まれている場合には、前記第１の符号化画像を復号することで、前記入力情報を復元する復元手段と、
前記復元手段により復元された前記入力情報を符号化し、送信解像度を有する第２の符号化画像を生成する符号化手段と、
前記符号化手段により生成された第２の符号化画像を、指定された送信先に送信する送信手段と
を備えることを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】